(57)【要約】【課題】  操作対象である複写機、プリンタ、ファクシミリ、あるいはその複合型の画像形成装置の設定入力を簡素化し、設定入力ミスを防止することができる画像処理装置を提供する。【解決手段】  表示手段と、操設定入力キーあるいは動作状態を表示させる制御手段と、通常画面である第１の画面と、第１の画面より前記操作設定入力キーが簡略化された簡単画面である第２の画面とを切り替える切替手段とを有し、制御手段は、通常画面から簡単画面、簡単画面から通常画面に切り替わる際、共通の操作設定入力キーについては、設定された内容を保持することにより、設定入力ミスを防止することができる。【選択図】  図３
2006323757.tif 000002
【特許請求の範囲】
【請求項１】
操作設定入力キーおよび動作状態が表示される表示手段と、
前記表示手段に前記操設定入力キーあるいは動作状態を表示させる制御手段と、
前記操作設定入力キーが配設された少なくとも１画面からなる第１の画面と、前記第１の画面より前記操作設定入力キーが簡略化された少なくとも１画面からなる第２の画面とを切り替える切替手段とを有し、
前記制御手段は、前記第１の画面と前記第２の画面を切り替える信号が前記切替手段から入力されると、前記第１の画面と前記第２の画面の共通の前記操作設定入力キーについては、切り替え前の画面で設定された内容を保持することを特徴とする画像処理装置。
【請求項２】
前記制御手段は、前記第１の画面から前記第２の画面に切り替える信号が前記切替手段から入力されると、前記第１の画面と前記第２の画面で共通でない前記操作設定入力キーについては、前記第１の画面の前記操作設定入力キーで設定された内容が解除される警告を第２の画面で表示させることを特徴とする請求項１記載の画像処理装置。
【請求項３】
前記制御手段は、前記第１の画面から前記第２の画面に切り替える信号が前記切替手段から入力されると、前記第１の画面と前記第２の画面で共通でない前記操作設定入力キーについては、前記第１の画面の前記操作設定入力キーで設定された内容が解除される警告を第２の画面で表示し、そのまま動作を継続させるか否かの判断を促すことを特徴とする請求項２記載の画像処理装置。
【請求項４】
前記制御手段は、前記第１の画面の前記操作設定入力キーで設定された内容が解除されることを第２の画面で表示し、前記第２の画面への移行動作をしないとの信号が入力されると、前記第１の画面で設定された内容を保持したまま第１の画面に戻ること特徴とする請求項３に記載の画像処理装置。
【請求項５】
前記第２の画面は、前記第１の画面に表示される前記各種操作設定入力キーの内容が必要最小限の前記各種操作設定入力キーで表示され、且つ該各種操作設定入力キー及び文字サイズを大きくしたものであることを特徴とする請求項１から４のいずれか１項に記載の画像処理装置。
【発明の詳細な説明】
【技術分野】
【０００１】
本発明は、デジタル複写機等の画像処理装置に関し、特に操作者が装置の設定入力を行う設定指示入力装置が搭載された画像処理装置に関する。
【背景技術】
【０００２】
従来、複写機、ファクシミリ装置、プリンタ装置、スキャナ装置、あるいはそれらの複合装置等の画像処理装置は、出力用紙サイズの選択、枚数の設定の他、拡大／縮小（倍率）、カラー／モノクロ、ステイプラー機能、片面出力／両面出力、ソータ機能、複写かファクシミリか等各種設定を、操作者が装置に搭載された、例えばタッチパネルが配設されたＬＣＤ画面（液晶表示画面）等の設定指示入力装置から入力している。
【０００３】
しかし、多機能を有する複合装置は、設定する項目が多くなり、また装置の小型化が要求され、ＬＣＤ画面等の設定指示入力装置の大きさにも限りがあるため、設定指示入力装置内の設定キーの数が多数となり、また１つの設定キーに複数の機能を持たせる等複雑化しており、操作者にとっては操作性が悪いという問題が生じていた。
【０００４】
このような問題を解決するため、特許文献１に記載の「表示入力操作装置」が提案されている。
この提案の装置は、操作対象機器の外観図が表示されるＬＣＤからなる表示装置が装備され、表示装置には、操作対象機器の外観図と、その機器の動作モードを設定する複数の操作入力部が表示される。表示装置に表示された外観図は、操作入力部に表示された各種操作表示のうち、操作者がタッチ（操作）した箇所の該当箇所のみを表示し、また残された外観図の周りに設定された動作モードと関連する複数の操作入力部を表示させ、操作された操作入力部と対応するアイコンをその外観図に表示させるもので、操作者はどの部分をどのように操作するかが視覚的に捉えることができるため、操作内容を瞬時に把握することができ、操作作業を効率的に行えるものである。
【０００５】
また、特許文献２に記載の「表示入力装置」が提案されている。
この提案による「表示入力装置」は、前記特許文献１に記載の「表示入力装置」と同様、装置に操作対象機器の外観図が表示される表示装置が装備されており、また機器の動作状態を検知する検知手段を有し、機器の異常が検知されると、表示画面上に機器側で対処が必要とする場合の表示が行われ、その表示部にタッチすることで操作者側で対処するためのガイダンスが表示されるもので、不必要なガイダンス情報の提示が行われないため、不慣れな操作者においても適切な対処を行うことができるというものである。
【０００６】
また、特許文献３に記載の「機器操作装置及び画像形成装置」が提案されている。
この提案による「機器操作装置及び画像形成装置」は、機器操作装置により機器の操作項目を設定、選択する際、操作者が視覚を使用せずに機器の操作を行う「非視覚モード」と、視覚を使用して操作を行う「視覚モード」とを有し、「非視覚モード」と「視覚モード」との切り替えを行った場合、移行した操作モードを音声で通知し、また切り替えキー、各種キーが触覚で存在を判断できる押下キー、テンキー等他の各種設定キーを物理的に異なる位置に配置されているため、機器のモード移行、その他各種の設定を視覚を使用せず容易に且つ確実に認識できるというものである。
【特許文献１】特許第３５６６０４８号公報
【特許文献２】特許第３５２７６３３号公報
【特許文献３】特開２００４−２１５１８１号公報
【発明の開示】
【発明が解決しようとする課題】
【０００７】
しかし、上述の技術によれば、操作対象機器の外観図とアイコンとの組み合わせにより、操作者の操作作業性を改善させたものであるが、装置の多機能によるアイコン数の数、各種設定方法の複雑さという点においては改善されておらず、機器操作に不慣れな操作者にとっては依然操作に戸惑うという問題が発生し、また、操作者は各種設定時に操作者が所望するものとは異なった設定がされ、いわゆるミスコピーをしてしまい、再度設定、再コピー等の動作を行なわなければならない等の問題が発生していた。
【０００８】
また、「非視覚モード」と「視覚モード」という視点で改良がなされてはいるが、上記同様装置の多機能による各種設定の複雑さという点においては解決されておらず、上記同様、設定入力ミスにより、操作者は所望のものとは異なるミスコピーをしてしまう等作業効率が悪くなるという問題が発生していた。
【０００９】
本発明の課題は、従来の欠点を鑑み、操作対象である複写機、プリンタ、ファクシミリ、あるいはその複合型の画像形成装置の設定入力を簡素化し、設定入力ミスを防止することができる画像処理装置を提供することを目的とする。
【課題を解決するための手段】
【００１０】
請求項１の発明では、操作設定入力キーおよび動作状態が表示される表示手段と、表示手段に操設定入力キーあるいは動作状態を表示させる制御手段と、操作設定入力キーが配設された少なくとも１画面からなる第１の画面と、第１の画面より操作設定入力キーが簡略化された少なくとも１画面からなる第２の画面とを切り替える切替手段とを有し、制御手段は、第１の画面と第２の画面を切り替える信号が切替手段から入力されると、第１の画面と第２の画面の共通の操作設定入力キーについては、切り替え前の画面で設定された内容を保持する。
【００１１】
請求項２の発明では、制御手段は、第１の画面から第２の画面に切り替える信号が切替手段から入力されると、第１の画面と第２の画面で共通でない操作設定入力キーについては、第１の画面の操作設定入力キーで設定された内容が解除される警告を第２の画面で表示させる。
【００１２】
請求項３の発明では、制御手段は、切替手段から第１の画面から第２の画面に切り替える信号が入力されると、第１の画面と第２の画面で共通でない操作設定入力キーについては、第１の画面の操作設定入力キーで設定された内容が解除される警告を第２の画面で表示し、そのまま動作を継続させるか否かの判断を促す。
【００１３】
請求項４の発明では、制御手段は、第１の画面の操作設定入力キーで設定された内容が解除されることを第２の画面で表示し、第２の画面への移行動作をしないとの信号が入力されると、第１の画面で設定された内容を保持したまま第１の画面に戻る。
【００１４】
請求項５の発明では、第２の画面は、前記第１の画面に表示される前記各種操作設定入力キーの内容が必要最小限の前記各種操作設定入力キーで表示され、且つ各種操作設定入力キー及び文字サイズを大きくしたものである。
【発明の効果】
【００１５】
請求項１記載の発明によれば、複数の設定キーが配設された通常の操作画面である第１の画面から、通常画面より設定キーや設定機能を少なくし、かつキーサイズや文字サイズを大きくした画面（以下、簡単画面という。）である第２の画面に切り替えた場合、あるいは第２の画面から第１の画面に切り替えた場合でも、通常画面と簡単画面の共通の前記操作設定入力キーは、通常画面で設定された内容を保持するため、例えばコピーモード設定中、コピー部数や選択用紙サイズ等を設定した後に簡単画面等別画面に切り替えた場合、設定したいボタンが現在の画面に無い事に気が付いて画面を切り替えた時でも、それまで設定したモードを引き継がれるため、再設定の手間や設定し忘れによるミスを防ぐことができる。
【００１６】
また、請求項２記載の発明によれば、簡単画面等別画面への切り替えにより表示できなくなるモードは、画面設定状態の矛盾を避けるために設定モードを解除せざるを得ないが、本発明では簡単画面へ切り替えした場合に一部のモードが解除されることになっても、表示手段としての液晶画面に一部のモードが解除される警告が明示的に表示されるため、ユーザーがそれを知らずにミスコピーしてしまうことを防止することができる。
【００１７】
また、請求項３記載の発明によれば、請求項２記載の発明に加え、そのまま次の画面に移行することを継続させるか、元の画面に戻るかを操作者に判断させるため、画面を切り替えることにより設定済みのモードが解除されてしまうことが操作者にとって意に沿わない場合は、切り替えを中止して元の画面に戻ることができる。
【００１８】
また、請求項４記載の発明によれば、請求項３記載の発明に加え、操作者の判断により前の画面に戻る際に、前の画面で設定された内容が保持されたまま元の画面に戻るため、再設定をする手間を防止させることができる。
【００１９】
また、請求項５記載の発明によれば、第２の画面としての簡単画面は、通常画面より設定キーや設定機能を少なくし、かつキーサイズや文字サイズを大きくした画面であるため、操作が単純化し、操作が不慣れな操作者にも容易に設定が可能となる。
【発明を実施するための最良の形態】
【００２０】
以下、本発明の実施の形態について、図面を参照して説明する。
図１には、本発明の実施形態に係る画像処理装置の一実施形態であるデジタル複写機の概念図が示されている。読み取りユニット５０は、圧板上におかれた原稿をスキャンするためのユニットである。これは、原稿を載置するコンタクトガラス６と光学走査系とで構成されている。光学走査系は、主に露光ランプ５１、第１ミラー５２、レンズ５３、ＣＣＤイメージセンサ５４で構成されている。
【００２１】
露光ランプ５１及び第１ミラー５２は図示しない第１キャリッジ上に固定され、第２ミラー５５及び第３ミラー５６は図示しない第１キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。
【００２２】
Ａはシート原稿を自動的に読み取るための装置である。Ｂの原稿台におかれた原稿はＣの給送ローラによって原稿読み取りセンサＦの位置に送り込まれる。原稿はそのまま一定の速度で原稿読み取りセンサＦの上を通過し、この時原稿の画像がセンサＦによって読み取られる。読み取られた画像データはＭＭＦ補正、フィルタ処理、圧縮等の画像処理を行なった後に順次画像メモリに蓄えられる。なお、本実施例では、画像読み取りセンサＦは密着型の等倍ＣＣＤデバイス等を想定している。
【００２３】
書き込みユニット５７は、レーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が配設されている。書き込みユニット５７から出力されるレーザ光が、画像作像系の感光体１５に照射される。
【００２４】
ここで、感光体１５に作像された画像を印刷する主な手順を説明する。
第１トレイ８、第２トレイ９、第３トレイ１０に格納された転写紙は、各々第１給紙装置１１、第２給紙装置１２、第３給紙装置１３によって給紙され、縦搬送ユニット１４によって感光体１５に当接する位置まで搬送される。メモリ上の画像データは、書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１９に排出される。定着ユニットは、ローラーの薄肉化と大電力ヒータにより数秒で定着可能になるように構成されている。
【００２５】
次に、転写紙の両面に画像を作像する場合、つまり両面コピーの動作について説明する。図２には、両面コピー動作を説明するための反転ユニット１１２の拡大図が示されている。各給紙トレイ８〜１０から給紙され、作像された転写紙は、反転経路切替爪１１５を切り替えることにより排紙トレイ１９側に導かないで、両面入紙搬送路１１３に搬送され、反転ユニット１１２でスイッチバック反転され、用紙揃えジョガー１１７で両サイドをそろえられた後に、両面搬送モータ１１８で駆動される両面搬送ユニット１１１に送られる。両面搬送ユニット１１１に送られた用紙は、再度縦搬送ユニット１４に送られて裏面に画像を印刷された後に排紙される。
また、転写紙を反転して排出する場合、反転ユニット１１２でスイッチバック反転した用紙を両面ユニットに送らずに反転排紙搬送路１１４に送り出して排紙する。
【００２６】
装置本体から排紙される転写紙は、フィニッシャ２００に排紙される。フィニッシャ２００に排紙された転写紙にステープル処理する場合、一旦スタックトレイ２０１にスタックされる。すべての転写紙がスタックトレイに溜められた後、この用紙束はステープラユニット２０２により綴じられて上排出トレイ２０３または、下排出トレイ２０４に排出される。
【００２７】
ステープル動作を行わない場合、転写紙はストレート排紙用の搬送路２０７を通り、同じように排紙トレイ２０３、２０４に排紙される。排紙トレイ２０３、２０４は上下に移動することにより、ステープルトレイあるいはストレート排紙搬送路からの転写紙を選択的にどちらかに排紙することができる。また、各排紙トレイには印刷済みの転写紙が残っているかどうかを検出するための用紙検知手段２０５、２０６が設けられている。
【００２８】
図３には、本発明の実施形態に係る制御手段としての制御ユニットの構成例が示されている。制御ユニットは、主にメインＣＰＵ２０が配設され、ＣＰＵ２０は操作部３０、自動原稿送り装置(ＡＤＦ)Ａ、フィニッシャ２００、メインモータ２５、排紙先切替爪１１６、反転経路切替爪１１５、両面搬送モータ１１８、揃えジョガー駆動モータ１１９、及び画像処理部に接続されている。
【００２９】
ＣＰＵ２０は、操作部３０を介してキー入力３２，３３，３４、３５からの指示信等情報入力により、表示手段としての液晶ディスプレイ３１への表示出力、自動原稿送り装置(ＡＤＦ)Ａの制御、メインモータ２５等の各種負荷の制御、フィニッシャユニット２００との通信制御等を行っている。
【００３０】
図４には、本発明の実施形態に係る画像処理部の構成例のブロック図が示されている。図４を用いて画像処理装置の主な信号処理を説明する。まず、自動原稿送り装置(ＡＤＦ)Ａ内のＣＣＤイメージセンサＦで読み取られた画像信号は、Ａ／Ｄコンバータ６１にてデジタル信号に変換される。次に、デジタル信号に変換された画像信号は、シェーディング補正６２がなされた後、画像処理部にてＭＴＦ補正、γ補正６３等がなされる。変倍処理７２を経由した画像信号は、変倍率に合せて拡大縮小され画像メモリコントローラ６５へ流れる。メモリコントローラに入ってきた画像は一次圧縮処理をかけられてから画像ページメモリ６６に書き込まれる。ここまでの動作は、原稿読み込みを開始するとそのページすべてをメモリに書き込むまで停止することなく処理される。
【００３１】
画像ページメモリ６６に書きこまれた画像イメージは、２次圧縮を行なってからＨＤＤ６８に書きこまれる。この動作は、スキャナから画像ページメモリ６６に画像を書き込む動作とは同期せずに行なうことができるように構成されている。つまり、画像イメージが画像ページメモリ６６に入った後は、ＨＤＤ６８がドライブレディー状態になっていれば任意のタイミングでＨＤＤ６８に転送可能である。また、この時画像ページメモリ６６に書き込まれた画像データは、ページごとにｊｐｅｇやｔｉｆｆなどの汎用画像フォーマットでイメージが作られ、これもＨＤＤ６８に保存される。
【００３２】
保存された画像は、操作部からの操作によりＰＣのフォルダ等に配信することができる。
以上の動作はスキャナから原稿を読み込む動作に関するものであるが、ネットワーク経由でプリンタ印刷要求を行う場合は、次のように動作する。ネットワーク経由で送信されてきたページ記述言語（ＰＤＬ）は、その内容がＣＰＵ２０により解析されてビットマップ画像データに変換される。画像データは画像ページメモリ６６上に書き込まれると同時に、２次圧縮後ＨＤＤ６８にも保存される。また、コピーの時と同様画像ページメモリ６６の画像はtiffなどのフォーマットでサムネイル化された後にＨＤＤ６８に保存される。
【００３３】
画像メモリ６６に書き込まれた画像を印刷する場合は、画像メモリ６６からメモリコントローラ６５に画像データが送られて、そこから書き込みγ補正ユニット７１を経由し書き込みユニット５７に送られる。書き込みユニット５７に送られた画像データは感光体１５上に潜像を作成し、これを現像化することでコピー画像を得る(図省略)。画像を印刷しない場合(単に蓄積だけしておく場合)は、上記印刷動作は行わない。
【００３４】
図５から図７には、本発明の実施形態に係る液晶操作パネルに表示される画面例のイメージ図が示されている。図５は、第１画面としての通常の操作設定入力キーが配設された画面の例が示されている。画面に配設されている主な操作設定入力キーの動作を説明する。５０１および５０２は、それぞれコピー機能、ＦＡＸ機能画面を選択するためのアプリ切替キーである。５０３はコピーの通常設定画面、５０４はセット部数入力等に使用するテンキー、５０５はジョブ実行開始するためのスタートキーである。
【００３５】
また、５０６は第１画面としての通常画面と、第２の画面としての簡単画面とを切り替えるための切替手段としてのハードキーである。また、５０７はコピーのカラーモードを選択するボタン、５０８は給紙するトレイを選択するボタン、５０９はコピーした用紙にパンチするための設定を行うボタンである。なお、同画面内には上記以外にも多数の設定ボタンがあるが、動作説明には使用しないので説明は省略する。
【００３６】
図６は、本発明の実施形態に係る第２の画面としての簡単画面の表示例を示すイメージ図である。この図は、図５の操作設定入力キー５０６を押下されることにより簡単画面に切り替えた状態が示されている。本実施例では、元がコピー画面表示であるため、切り替えた画面もコピーの簡単画面になっている。操作設定入力キー６０１、６０２、６０４、６０５、６０６は、図５に示され操作設定入力キー５０１、５０２、５０４、５０５、５０６に対応している。また、操作設定入力キー６０８はコピーのカラーモードを選択するボタンで、機能的には図５の操作設定入力キー５０７に対応しており、操作設定入力キー６０９は給紙するトレイを選択するボタンで、機能的には図５の操作設定入力キー５０８に対応している。
【００３７】
図８には、本発明の実施形態に係る制御手段の動作例のフローが示されている。図５と図６の画面例を参照して動作を説明する。本実施形態では、操作者が簡単画面の操作設定入力キーで設定し、途中で簡単画面にない通常画面での操作設定入力キーで他の設定を行った場合の動作例である。
まず、操作者により、図６の簡単画面の操作設定入力キー６０４、つまりテンキーでコピー部数が入力され、さらに操作設定入力キー６０９により給紙トレイ選択、つまり用紙の選択の設定入力がされた（ステップＳ８０１）。
【００３８】
この後、操作者は設定入力した画面が簡単画面であるため、集約コピー等の機能は表示されていないことに気がつき、操作設定入力キー６０６が押下された。制御手段は、操作設定入力キー６０６が押下されたことにより、表示画面の表示を簡単画面（図６）から通常画面（図５）に切り替える（ステップＳ８０２）。
【００３９】
ステップＳ８０２で画面が簡単画面から通常画面に切り換えると、制御手段は、簡単画面と通常画面の共通操作設定入力キーあり、ステップＳ８０１で入力されたコピー部数と給紙トレイ選択の設定データを保持させ、切り換えた通常画面に設定済みのコピー部数と給紙トレイ選択の設定データを表示させる（ステップＳ８０３）。
【００４０】
図９には、本発明の実施形態に係る制御手段の動作例のフローが示されている。図５と図６の画面例を参照して動作を説明する。本実施形態では、操作者が通常画面の操作設定入力キーで設定し、途中で簡単画面に切り替えを行う場合の動作例である。まず、操作者により、図５の簡単画面の操作設定入力キー５０４、つまりテンキーでコピー部数が入力され、さらに操作設定入力キー５０７によりカラーモード「２色」の設定入力がされる（ステップＳ９０１）。
【００４１】
操作設定入力キー５０６が押下されると、制御手段は表示画面の表示を簡単画面（図６）から通常画面（図５）に切り替える（ステップＳ９０２）。
【００４２】
ステップＳ９０２で画面を簡単画面から通常画面に切り換えると、制御手段は、簡単画面で表示できないモードが設定（選択）されているか否かを判断し（ステップＳ９０３）、簡単画面で表示できないモードが設定（選択）されていないと判断した場合は（ステップＳ９０３／ＮＯ）、設定済みのデータを保持させ、簡単画面の対応表示部に設定済みデータを表示させる（ステップＳ９０８）。
【００４３】
一方、簡単画面で表示できない設定入力が選択されていると判断した場合（ステップＳ９０３／ＹＥＳ）、つまりこの例ではカラーモード「２色」があるため、図７に示されているように表示できないモード、カラーモード：２色を解除するか否か警告問い合わせ画面を表示部に表示させる（ステップＳ９０４）。
【００４４】
ステップＳ９０４で、表示できないモードを解除するか否かの問い合わせ画面を表示させると、問い合わせ画面で切り替えキーが押下されたか否かを判断する（ステップＳ９０５）。
【００４５】
ステップＳ９０５で切り替えキーが押下されたと判断すると（ステップＳ９０５／ＹＥＳ）、簡単画面で表示できないモードだけ、この例ではカラーモード「２色」を解除して、デフォルトの自動選択カラーが設定された状態を表示し、表示できるモード、この例ではコピー部数を保持して簡単画面を表示させる（ステップＳ９０６）。
【００４６】
また、ステップＳ９０５で切り替えキーが押下されず（ステップＳ９０６／ＮＯ）、中止キーが押下されたと判断した場合には、元の設定状態を保持して通常画面を表示させる（ステップＳ９０７）。この動作例では、設定解除の警告問い合わせを表示させることにより、画面切り替え後のミスコピーを防止させることができる。
【図面の簡単な説明】
【００４７】
【図１】本発明の一実施形態に係るデジタル複写機の全体構成例を示す断面図である。
【図２】図１記載のデジタル複写機の反転ユニットの拡大構成図である。
【図３】本発明の一実施形態に係る制御ユニットの構成例を示す図である。
【図４】本発明の一実施形態に係る画像処理例を示すブロック図である。
【図５】本発明の一実施形態に係る第１の画面の表示例を示す平面図である。
【図６】本発明の一実施形態に係る第２の画面の表示例を示す平面図である。
【図７】本発明の一実施形態に係る警告画面の表示例を示す平面図である。
【図８】本発明の一実施形態に係る画面の表示動作を示すフロー図である。
【図９】本発明の一実施形態に係る画面の表示動作を示すフロー図である。
【符号の説明】
【００４８】
２０    メインＣＰＵ（制御部）
３０    操作部
３１    液晶ディスプレイ（表示部）
３２    キー入力
２００    フィニッシャ
【図１】
2006323757.tif 000003
【図２】
2006323757.tif 000004
【図３】
2006323757.tif 000005
【図４】
2006323757.tif 000006
【図５】
2006323757.tif 000007
【図６】
2006323757.tif 000008
【図７】
2006323757.tif 000009
【図８】
2006323757.tif 000010
【図９】
2006323757.tif 000011